(57)【要約】【課題】      正常の水面に浮かぶ時や転覆した姿勢の状態でも魚投入口の開閉板が開き難い引き舟を提供することである。【解決手段】  引き舟は、引き舟本体１の上に固定された上面板２と引き舟本体上部３とが合成樹脂材等で形成され、発泡樹脂等の浮力材１０で水に浮かぶ構成となっている。  引き舟本体上部３には魚の取出し口３ａが開口されて蓋体５が開閉自在に軸支されて取り付けられ、蓋体５には魚を投入する魚投入口５ｂが開口されて魚投入口５ｂには内側から塞ぐように蓋体５の内側に開閉板７、７が内側に開閉出来るように取り付けられて閉塞付勢されて開閉板７、７に複数の通水孔７ａ、７ａが穿設されている。  蓋体５の魚投入口５ｂの左右両側に複数の通水孔５ｄ、５ｄが穿設されている。【選択図】        図２
2010104316.tif 000002
【特許請求の範囲】
【請求項１】
内部に魚の収納空間を有する引き舟本体の上面に開閉可能な蓋体を有する魚取出し口を設け、前記蓋体に閉塞付勢された開閉板を有する魚投入口を有する引き舟において、前記蓋体の魚投入口の外側に前記魚の収納空間に通じる通水孔を設けたことを特徴とする引き舟。
【請求項２】
通水孔は魚投入口の開閉板より外側に配されていることを特徴とする請求項１に記載の引き舟。
【請求項３】
通水孔は、蓋体の魚投入口の左右両側に設けたことを特徴とする請求項１または２に記載の引き舟。
【請求項４】
開閉板に魚の収納空間に通じる通水孔を設けたことを特徴とする請求項１乃至３の１つに記載の引き舟。
【発明の詳細な説明】
【技術分野】
【０００１】
本発明は、鮎釣りで使用する引き舟に関する。
【背景技術】
【０００２】
従来、引き舟は箱型又は舟型の容器に紐が取り付けられて水に浮かべて使用し、容器から魚を取り出す時は魚の取り出し口の蓋体を開いて取り出していた。
更に蓋体には閉塞付勢された内側に開く開閉板を有する魚投入口が設けられていて釣った魚を魚投入口から引き舟本体内の収納空間に入れていた。
水中に入っての鮎釣時に水面に浮かした引き舟を引っ張って流れの速い水中を移動すると、引き舟の上面に水をかぶると、魚投入口が大きく開いて収納空間に入れた魚が魚投入口から逃げ出すことがある。
そこで引き舟の上面に水をかぶっても魚投入口が大きく開かないようにした提案が特許文献１で成されている。
特許文献１では蓋体の魚投入口の後方周囲の立上壁に複数の導水孔を設けている。
しかし、水面に浮かした引き舟を引っ張って流れの速い水中を移動する時は引き舟が水をかぶり上部に水がながれたり、転覆することがある。
このように引き舟上部に水が流れたり、引き舟が転覆して引き舟上部の上面が水面に伏せた状態になると、後方周囲の立上壁は複数の導水孔があるが為に、水は勢いを付けて導水孔方向に向いその立上壁の前で導水孔に取り込めない水の渦が発生して魚投入口の開閉板を開いて魚を逃がし易くすることになる。
【特許文献１】実公平３−１０８７７号公報
【発明の開示】
【発明が解決しようとする課題】
【０００３】
解決しようとする問題点は、引き舟が上部に水が流れたり、転覆したりすると魚投入口や後方周囲の立上壁の前で渦が発生して魚投入口の開閉板を開いて魚を逃がし易くなることである。
【０００４】
本発明の目的は前記欠点に鑑み、正常の水面に浮かぶ時や転覆した姿勢の状態でも魚投入口の開閉板が開き難い引き舟を提供することである。
【課題を解決するための手段】
【０００５】
本発明の請求項１は、内部に魚の収納空間を有する引き舟本体の上面に開閉可能な蓋体を有する魚取出し口を設け、前記蓋体に閉塞付勢された開閉板を有する魚投入口を有する引き舟において、前記蓋体の魚投入口の外側に前記魚の収納空間に通じる通水孔を設けたことを要旨とするものである。
本発明の請求項２は、通水孔は魚投入口の開閉板より外側に配されていることを要旨とするものである。
本発明の請求項３は、通水孔は、蓋体の魚投入口の左右両側に設けたことを要旨とするものである。
本発明の請求項４は、開閉板に魚の収納空間に通じる通水孔を設けたことを要旨とするものである。
【発明の効果】
【０００６】
本発明の請求項により、水面に浮かした引き舟を引っ張って流れの速い水中を移動する時、引き舟本体上部と蓋体との上を水が流れ、流れた水が蓋体の通水孔を通して引き舟本体内の収納空間に流れる。
更に開閉板に通水孔を設けると蓋体の上を流れた水が魚投入口の上をかすめ、流水の一部は開閉板の複数の通水孔を通して引き舟本体内の収納空間に流れる。
魚投入口の上をかすめる流水が複数の通水孔を通して引き舟本体内の収納空間に流れれば、水流の水圧で開閉板が内側に押されて開くことがないので開閉板が開いて魚が逃げることがない。
【発明を実施するための最良の形態】
【０００７】
引き舟は、引き舟本体１と引き舟本体１の上に固定された通路２ａを有する上面板２と引き舟本体上部３とが合成樹脂材等で形成され、引き舟本体１と引き舟本体上部３の両側と前側には発泡樹脂等の浮力材１０が入れられて水に浮かぶ構成となっている。
引き舟本体１の中に収納空間Ａが設けられている。
引き舟本体上部３には魚の取出し口３ａが開口されて蓋体５が上面板２の上面に上方に向けて形成された突部からなる蝶番固定部２ｂに蝶番６、６で開閉自在に軸支されて取り付けられている。
蓋体５には魚を投入する魚投入口５ｂが開口されて魚投入口５ｂには内側から塞ぐように蓋体５の内側に開閉板７、７が内側に開閉出来るように蝶番１２、１２で取り付けられて発条１３、１３で閉塞付勢されている。
蓋体５の魚投入口５ｂの左右両側に複数の通水孔５ｄ、５ｄが穿設されている。
蓋体５の魚投入口５ｂの後方には立上壁５ｅが形成されている。
開閉板７、７に複数の通水孔７ａ、７ａが穿設されている。
【実施例１】
【０００８】
以下、図示の一実施例によって本発明を説明すると、図１は引き舟の平面図、図２は引き舟の蓋体の内側を示す断面正面図、図３は引き舟の蓋体を閉じた断面正面図、図４は引き舟の断面側面図である。
【０００９】
引き舟は、引き舟本体１の上に固定された通路２ａを有する上面板２と引き舟本体上部３とが合成樹脂材等で形成され、引き舟本体１の前壁と側壁に水取り入れ口１ａ、１ｂが穿設されて流水が流入される。
引き舟本体１の底部１ｃの内側面には、底部１ｃを形成する材料より柔らかいゴムや合成樹脂で平板状に形成された騒音防止部材４が添設されて接着剤等で取り付けられている。
流入された水は上面板２に形成された通路２ａや引き舟本体１の側壁の後側の排出口１ｄを通して引き舟本体１の後部から排出されている。
引き舟本体１と引き舟本体上部３の両側と前側には発泡樹脂等の浮力材１０が入れられて水に浮かぶ構成となっている。
引き舟本体１の中に収納空間Ａが設けられている。
引き舟本体上部３には魚取出し口３ａが開口されて蓋体５が上面板２の上面に上方に向けて形成された突部からなる蝶番固定部２ｂに蝶番６、６で開閉自在に軸支されて取り付けられている。
蝶番６は図２のように上面板２の蝶番固定部２ｂ側に固定された板側に形成された筒部６ａと蓋体５側に固定された板側に形成された筒部６ｂの対向する面に凹凸が形成されて発条１１で付勢され蓋体５の開閉時に凹凸が係合すると節度が生じるように回動する。
【００１０】
蓋体５には魚を投入する魚投入口５ｂが開口されて魚投入口５ｂには内側から塞ぐように蓋体５の内側に開閉板７、７が内側に開閉出来るように蝶番１２、１２で取り付けられて発条１３、１３で閉塞付勢されている。
蓋体５の後側の蝶番固定部５ａに蝶番６を覆うカバ−５ｃが蓋体５の横幅と同寸法で後側に向けて延びている。
カバ−５ｃは蝶番６の周方向に湾曲した形状に形成され蝶番６の上方を覆っている。
引き舟本体上部３の魚取出し口３ａの後側には蓋体５の横幅より幾分広い開口部３ｂが後方に向けて開口されて蓋体５との間に間隙Ｂが設けられている。
カバ−５ｃは開口部３ｂの中に差し込まれ蓋体５が開かれてカバ−５ｃは蝶番６、６の周方向に沿って覆った状態で移動するようになっている。
蓋体５が開かれた時にはカバ−５ｃの先端が上面板２の蝶番固定部２ｂの側壁に当接され蓋体５の開閉の度当りとなる。
【００１１】
蓋体５の魚投入口５ｂの左右両側に複数の通水孔５ｄ、５ｄが穿設されている。
蓋体５の魚投入口５ｂの周囲には立上壁５ｅが形成されている。
開閉板７、７に複数の通水孔７ａ、７ａが穿設されている。
引き舟本体１と引き舟本体上部３の両側の前側の透孔には紐１３、１４が挿通されて取手１５が取り付けられ、取手１５には適宜長さの紐１６の一端が取り付けられて紐１６の他方の端にはベルトの係止具１７が取り付けられ、係止具１７は釣人の腰のベルト等に係止されて流れに引き流して使用される。
【００１２】
釣り用引き舟が使用される時は、川の水量が多い時には引き舟本体１を水に浸けると、引き舟本体上部３と蓋体５との上を水が流れ、流れた水が複数の通水孔５ｄ、５ｄを通して引き舟本体１内に流れ、通路２ａを通して引き舟の後部に排出される。
更に蓋体５の上を流れた水が魚投入口５ｂの上をかすめ、流水の一部は開閉板７、７の複数の通水孔７ａ、７ａを通して引き舟本体１内に流れ、通路２ａを通して引き舟の後部に排出される。
魚投入口５ｂの上をかすめる流水が複数の通水孔７ａ、７ａを通して引き舟本体１内に流れれば、水流の水圧で開閉板７、７が内側に押されて開くことがない。
川の水量が少ない時には引き舟本体１を水に浸けると、底部１ｃが川底の石や岩に接触して擦れ音や衝撃音を発生するが、底部１ｃの内側面に騒音防止部材４が取り付けられているので、騒音防止部材４で擦れ音や衝撃音が吸収される。
蓋体５を開閉する蝶番６はカバ−５ｃの内側にあって露出していないので釣糸等が絡むことがない。
【００１３】
水面に浮かした引き舟を引っ張って引き舟の引き舟本体上部３の上を水が流れたり、流れの速い水中を移動する時引き舟が転覆することが起こって引き舟本体上部３の上面が水面に伏せた状態になっても、水は蓋体５の魚投入口５ｂの左右両側の複数の通水孔５ｄ、５ｄと開閉板７、７の複数の通水孔７ａ、７ａを通して引き舟本体上部３より上側になった引き舟本体１内に流れ、通路２ａを通して引き舟の後部に排出されるから魚投入口５ｂの後方に立上壁５ｅがあっても渦が発生しないので開閉板７、７が開いて魚が逃げることがない。
また、通水孔５ｄは、蓋体５の魚投入口５ｂの後端位置よりも前方側に設けられていると魚投入口５ｂに入る前に通水孔５ｄから収納空間Ａに水を取り入れて魚投入口５ｂへの水の流入を少なくし、開閉板７、７が開いてしまうことがより効果的に防止出来る。
【００１４】
前記のように引き舟が構成されると、水面に浮かした引き舟を引っ張って流れの速い水中を移動する時、引き舟本体上部３と蓋体５との上を水が流れ、流れた水が複数の通水孔５ｄ、５ｄを通して引き舟本体１内の収納空間Ａに流れ、通路２ａを通して引き舟の後部に排出される。
更に蓋体５の上を流れた水が魚投入口５ｂの上をかすめ、流水の一部は開閉板７、７の複数の通水孔７ａ、７ａを通して引き舟本体１内の収納空間Ａに流れ、通路２ａを通して引き舟の後部に排出される。
魚投入口５ｂの上をかすめる流水が複数の通水孔７ａ、７ａを通して引き舟本体１内の収納空間Ａに流れれば、水流の水圧で開閉板７、７が内側に押されて開くことがない。
引き舟が転覆した時、引き舟本体上部３の上面が水面に伏せた状態になっても、水は蓋体５の魚投入口５ｂの左右両側の複数の通水孔５ｄ、５ｄと開閉板７、７の複数の通水孔７ａ、７ａを通して引き舟本体上部３より上側になった引き舟本体１内の収納空間Ａに流れ、通路２ａを通して引き舟の後部に排出されるから魚投入口５ｂの後方に立上壁５ｅがあっても渦が発生しないので開閉板７、７が開いて魚が逃げることがない。
【産業上の利用可能性】
【００１５】
本発明は引き舟全般に利用できる。
【図面の簡単な説明】
【００１６】
【図１】引き舟の平面図である。
【図２】引き舟の蓋体の内側を示す断面正面図である。
【図３】引き舟の蓋体を閉じた断面正面図である。
【図４】引き舟の断面側面図である。
【符号の説明】
【００１７】
１  引き舟本体
３ａ  魚の取出し口
５  蓋体
５ｂ  魚投入口
５ｄ、７ａ  通水孔
７  開閉板
Ａ  収納空間
【図１】
2010104316.tif 000003
【図２】
2010104316.tif 000004
【図３】
2010104316.tif 000005
【図４】
2010104316.tif 000006